(57)【要約】【課題】  送信中にエラーが発生した場合には受信側が受信可能な状態に復帰するまで無駄なリダイアルを行わず、また受信側からは特殊な手順を用いなくともＣａｌｌ−ＩＤを用いることにより、送信側に対して受信可能な状態に復帰したことを通知することができるファクシミリ装置を提供することを目的とする。【解決手段】  ネットワーク経由して所定形式のデータを送受信するＩＰ―ＦＡＸ（ＳＩＰ）の環境下において、受信途中で受信不可状態が発生した場合に、受信機が復帰した事を知らせ、Ｃａｌｌ―ＩＤをもとにジョブを特定し送信側は再送信する。【選択図】  図１
2008154092.tif 000002
【特許請求の範囲】
【請求項１】
ネットワークを介してＳＩＰ（呼制御）方式で、相手先装置とセッションを確立した後、ITU-T.38規格に従ってリアルタイム型インターネットファクシミリ通信を用いて画像データを送信する送信手段と、
前記インターネットファクシミリ通信に用いられたSIPメッセージをグループ化して、他のセッションと区別するための認識情報としてＣａｌｌ-ＩＤ（呼識別子）を発行する発行手段と、
前記発行手段が発行したＣａｌｌ-ＩＤ情報を履歴テーブルに記憶する記憶手段と、
を備えたことを特徴とするファクシミリ装置。
【請求項２】
前記送信手段によるデータ送信においてエラーが発生した場合に、当該データ送信で送信中であって画像データを自動的に再送信するよう前記送信手段を制御する制御手段を更に備えたことを特徴とする請求項１に記載のファクシミリ装置。
【請求項３】
前記エラーが発生する場合とは、前記相手先装置が受信不可能な状態である場合であって、前記相手先装置から通知される前記Ｃａｌｌ-ＩＤを受け付ける受付手段を更に備えることを特徴とする請求項２に記載のファクシミリ装置。
【請求項４】
前記受付手段は更に、前記相手先装置が受信不可能な状態から復帰したことを示す通知を受け付けることを特徴とする請求項３に記載のファクシミリ装置。
【請求項５】
前記受付手段が前記相手先装置が受信不可能な状態から復帰したことを示す通知を受け付けたことに応じて、前記制御手段は、前記記憶手段に記憶されたＣａｌｌ-ＩＤ参照することにより前記送信中であった画像データを特定し、当該特定された画像データを再送信するよう前記送信手段を制御することを特徴とする請求項４に記載のファクシミリ装置。
【請求項６】
前記制御手段は、前記受付手段が前記相手先装置が受信不可能な状態から復帰したことを示す通知を受け付けるまでは、前記送信中であった画像データの再送信を行わないよう前記送信手段を制御することを特徴とする請求項２に記載のファクシミリ装置。
【発明の詳細な説明】
【技術分野】
【０００１】
ネットワークを介して画像データを送信するファクシミリ装置に関する。
【背景技術】
【０００２】
インターネットなどのＩＰネットワークを介してファクシミリデータを送信するためのＩＴＵ−Ｔ．３８規格に従った手順で、リアルタイム型インターネットファクシミリ通信を行うことができる（例えば、特許文献１参照）。
【０００３】
また、ＰＳＴＮなどのネットワークを介して、ＩＴＵ−Ｔ．３０規格に従ったファクシミリ通信では、画像データの送信中にエラーが発生した場合、送信側において送信中であったデータを一時的に記憶しておいて、定期的にリダイアル発呼を行って、再送信をすることができる。
【特許文献１】特開平１１−２９８７０８号公報
【発明の開示】
【発明が解決しようとする課題】
【０００４】
しかしながら、上述したような従来技術においては、受信側の装置が通信中に受信不可能な状態になったことにより通信エラーが発生した場合に、送信側が再送信のために自動リダイアルしたとしても、受信側の装置が復帰しない限り送信できないため、送信側は無駄なリダイアルを何度も繰り返してしまっていた。
【０００５】
本発明は、上記の問題点に鑑みなされたものであり、送信中にエラーが発生した場合には受信側が受信可能な状態に復帰するまで無駄なリダイアルを行わず、また受信側からは特殊な手順を用いなくともＣａｌｌ−ＩＤを用いることにより、送信側に対して受信可能な状態に復帰したことを通知することができるファクシミリ装置を提供することを目的とする。
【課題を解決するための手段】
【０００６】
上記の目的を達成するために、本発明のファクシミリ装置は、インターネット等のネットワークを介してＳＩＰ（呼制御）方式で、相手先装置とセッションを確立した後、ITU-T.38規格に従ってリアルタイム型インターネットファクシミリ通信を用いて画像データを送信する送信手段と、前記インターネットファクシミリ通信に用いられたSIPメッセージをグループ化して、他のセッションと区別するための認識情報としてＣａｌｌ-ＩＤ（呼識別子）を発行する発行手段と、前記発行手段が発行したＣａｌｌ-ＩＤ情報を履歴テーブルに記憶する記憶手段と、を備えたことを特徴とする。
【０００７】
（作用）
本発明によれば、送信中にエラーが発生した場合には受信側が受信可能な状態に復帰するまで無駄なリダイアルを行わず、また受信側からは特殊な手順を用いなくともＣａｌｌ−ＩＤを用いることにより、送信側に対して受信可能な状態に復帰したことを通知することができるファクシミリ装置を提供することができる。
【発明の効果】
【０００８】
以上説明したように、本発明によれば、本発明は前記技術手段を有するので、本アイデアを実施することにより、受信途中で受信不可状態が発生した場合において、受信途中で受信不可状態となった場合でも、送信機及び受信機の共通のCall-IDで、エラーしたジョブが特定及び管理できる為、送信側の再送信の無駄な発呼を避け送信側への負担を回避する。また、受信側においては、受信可能な状態へ復帰した場合は送信側に再送要求を行いエラーしたジョブの再送を受ける事が可能となり画像の再送信が簡便に行える仕組みができる効果がある。
【発明を実施するための最良の形態】
【０００９】
図１は、本発明の内部構成を示すブロック図である。
【００１０】
同図において、１００は、ファクシミリ装置であり、画像の送信や画像の受信を行なう。
【００１１】
１０１は、通信部であり、外部とのインターフェースであり、インターネットに接続し、データの送受信を行う。
【００１２】
１０２は、画像読取部であり、送信用の画像を読み取る。
【００１３】
１０３は、記録部であり、データの印刷を行なう。
【００１４】
１０４は、表示部であり、各種操作状況及び操作ガイド及びステータス状況を表示する。
【００１５】
＊タッチパネルの場合は、表示と操作部を兼ねる。
【００１６】
１０５は、操作部であり、利用者が各種キー操作し、数字や文字を入力することが出来る。
【００１７】
１０６は、ROMであり、各種プログラムが記憶されている。
【００１８】
１０７は、RAMであり、ROMからの各種プログラムや記憶部（１０９）からのデータ転送により記憶する。また、一部エリアはワーク用として確保されている。
【００１９】
１０８は、記憶部である。
【００２０】
１１０は、制御部（CPU）であり、各種制御や各種信号処理を行う。
【００２１】
１２０は、ネットワークであり、インターネットに接続される。
【００２２】
次に、上記の構成において、図２は、本発明の一実施例による送信側ファクシミリ装置と受信側ファクシミリ装置のシーケンス（実施例１）である。
【００２３】
動作を順を追って説明する。
【００２４】
Ｓ２０１は、送信を開始する。
【００２５】
Ｓ２０２は、送信機は受信機に送信するためにINVITEを発行する。
【００２６】
Ｓ２０３は、受信途中で受信不可状態発生を示す。受信不可状態発生の想定される状態とは、例えば、メモリフル、紙なし、負荷大（セッション数フル）等である。
【００２７】
Ｓ２０４は、受信機は、ＤＣＮを送出後、送信側にＣａｌｌ−ＩＤ情報をＳＩＰメッセージで返信し、エラーになったＣａｌｌ−ＩＤのジョブを自動登録し保持する。
【００２８】
Ｓ２０５は、送信機は、再送するまでの所定期間ジョブ情報及び画像メモリを保持する。
【００２９】
Ｓ２０６は、送信機は、再送要求があるまで、リダイヤルを行なわない（再送しない）。既にリダイヤル実行中の場合は  、中止し、リダイヤル待機中とする。
【００３０】
Ｓ２０７は、受信機は、受信可能状態に復帰した場合に復帰した事を送信側に知らせ、再送要求する。
【００３１】
Ｓ２０８は、送信機は、再送要求に基づき、Ｃａｌｌ−ＩＤをもとにジョブを特定し受信機へ送信する。
【００３２】
Ｓ２０９は、終了を示す。
【００３３】
次に図３として、送信側ファクシミリ装置のフローチャート（実施例１）の説明をする。
【００３４】
Ｓ３００は、スタートである。
【００３５】
Ｓ３０１は、送信原稿をメモリに蓄積する。
【００３６】
Ｓ３０２は、通常の通信動作を行う。
【００３７】
Ｓ３０３は、Ｃａｌｌ−ＩＤ情報を履歴テーブルに保持する。
【００３８】
Ｓ３０４は、受信側のエラーの有無を判断する。エラーなしの場合は、Ｓ３０４を繰り返す。エラー有の場合は、Ｓ３０５に移行する。
【００３９】
Ｓ３０５は、受信機からのエラー返信情報に基づき、エラーしたＣａｌｌ−ＩＤを保持する。
【００４０】
Ｓ３０６は、エラーした画像メモリを保持する。
【００４１】
Ｓ３０７は、いつでも、受信機からの再送信要求に対応するため、再送信要求の有無を判断する。エラーなしの場合は、Ｓ３０７を繰り返す。エラー有の場合は、Ｓ３０８に移行する。
【００４２】
Ｓ３０８は、受信機より指定されたＣａｌｌ−ＩＤに基づき、エラーした画像を再送信する。
【００４３】
Ｓ３０９は、終了である。
【００４４】
次に図４として、送信側ファクシミリ装置のフローチャート（実施例１）の説明をする。
【００４５】
Ｓ４００は、スタートである。
【００４６】
Ｓ４０１は、着信を示すし、受信の開始である。
【００４７】
Ｓ４０２は、通常の通信動作を行う。
【００４８】
Ｓ４０３は、ＩＮＶＩＴＥを発行した送信機からの、Ｃａｌｌ−ＩＤ情報を履歴テーブルに保持する。
【００４９】
Ｓ４０４は、受信機の継続不可の有無を判断する。エラーなしの場合は、Ｓ４０４を繰り返す。エラー有の場合は、Ｓ４０５に移行する。
【００５０】
Ｓ４０５は、エラーしたＣａｌｌ−ＩＤを保持する。
【００５１】
Ｓ４０６は、ＤＣＮ送出後ＳＩＰメッセージでエラーになったＣａｌｌ−ＩＤを返信する。
【００５２】
Ｓ４０７は、受信可能に復帰後に、受信機は再送信要求の有無を判断する。エラーなしの場合は、Ｓ３０７を繰り返す。エラー有の場合は、Ｓ３０８に移行する。
【００５３】
Ｓ４０８は、送信機に、エラーしたＣａｌｌ−ＩＤ履歴テーブルをもとに、エラーしたＣａｌｌ−ＩＤ情報を返信し、エラーした画像の再送信要求を行う。
【００５４】
Ｓ３０９は、終了である。
【００５５】
同様に上記の構成において、図５は、本発明の第２の実施例であり、送信側ファクシミリ装置と受信側ファクシミリ装置のシーケンス（実施例２）である。
【００５６】
動作を順を追って説明する。
【００５７】
Ｓ５０１は、送信を開始する。
【００５８】
Ｓ５０２は、送信機は受信機に送信するためにINVITEを発行する。
【００５９】
Ｓ５０３は、受信途中で受信不可状態発生を示す。受信不可状態発生の想定される状態とは、例えば、メモリフル、紙なし、負荷大（セッション数フル）等である。
【００６０】
Ｓ５０４は、受信機は、ＤＣＮを送出後、送信側にＣａｌｌ−ＩＤ情報をＳＩＰメッセージで返信し、エラーになったＣａｌｌ−ＩＤのジョブを自動登録し保持する。
【００６１】
Ｓ５０５は、送信機は、再送するまでの所定期間ジョブ情報及び画像メモリを保持する。
【００６２】
Ｓ５０６は、送信機は、再送要求があるまで、リダイヤルを行なわない（再送しない）。既にリダイヤル実行中の場合は  、中止し、リダイヤル待機中とする。
【００６３】
Ｓ５０７は、受信機は、受信可能状態に復帰した場合に復帰した事を送信側に知らせ、ポーリング送信要求する。
【００６４】
Ｓ５０８は、送信機は、受信機からのポーリング送信要求に基づき、Ｃａｌｌ−ＩＤをもとにジョブを特定し受信機へポーリング送信する。
【００６５】
Ｓ５０９は、終了を示す。
【００６６】
次に図６として、送信側ファクシミリ装置のフローチャート（実施例２）の説明をする。
【００６７】
Ｓ６００は、スタートである。
【００６８】
Ｓ６０１は、送信原稿をメモリに蓄積する。
【００６９】
Ｓ６０２は、通常の通信動作を行う。
【００７０】
Ｓ６０３は、Ｃａｌｌ−ＩＤ情報を履歴テーブルに保持する。
【００７１】
Ｓ６０４は、受信側のエラーの有無を判断する。エラーなしの場合は、Ｓ６０４を繰り返す。エラー有の場合は、Ｓ６０５に移行する。
【００７２】
Ｓ６０５は、受信機からのエラー返信情報に基づき、エラーしたＣａｌｌ−ＩＤを保持する。
【００７３】
Ｓ６０６は、エラーした画像メモリを保持する。
【００７４】
Ｓ６０７は、いつでも、受信機からの再送信要求に対応するため、再送信要求の有無を判断する。エラーなしの場合は、Ｓ６０７を繰り返す。エラー有の場合は、Ｓ６０８に移行する。
【００７５】
Ｓ６０８は、受信機より指定されたＣａｌｌ−ＩＤに基づき、エラーした画像をポーリング送信する。
【００７６】
Ｓ６０９は、終了である。
【００７７】
次に図７として、送信側ファクシミリ装置のフローチャート（実施例２）の説明をする。
【００７８】
Ｓ７００は、スタートである。
【００７９】
Ｓ７０１は、着信を示すし、受信の開始である。
【００８０】
Ｓ７０２は、通常の通信動作を行う。
【００８１】
Ｓ７０３は、ＩＮＶＩＴＥを発行した送信機からの、Ｃａｌｌ−ＩＤ情報を履歴テーブルに保持する。
【００８２】
Ｓ７０４は、受信機の継続不可の有無を判断する。エラーなしの場合は、Ｓ７０４を繰り返す。エラー有の場合は、Ｓ７０５に移行する。
【００８３】
Ｓ７０５は、エラーしたＣａｌｌ−ＩＤを保持する。
【００８４】
Ｓ７０６は、ＤＣＮ送出後ＳＩＰメッセージでエラーになったＣａｌｌ−ＩＤを返信する。
【００８５】
Ｓ７０７は、受信可能に復帰後に、受信機はポーリング送信要求の有無を判断する。エラーなしの場合は、Ｓ７０７を繰り返す。エラー有の場合は、Ｓ７０８に移行する。
【００８６】
Ｓ７０８は、送信機に、エラーしたＣａｌｌ−ＩＤ履歴テーブルをもとに、エラーしたＣａｌｌ−ＩＤ情報を返信し、ポーリング送信要求にて、エラーした画像をポーリング受信する。
【００８７】
Ｓ７０９は、終了である。
【図面の簡単な説明】
【００８８】
【図１】本発明の一実施例の内部構成を示すブロック図である。
【図２】送信側ファクシミリ装置と受信側ファクシミリ装置のシーケンス（実施例１）である。
【図３】送信側ファクシミリ装置のフローチャート（実施例１）である。
【図４】受信側ファクシミリ装置のフローチャート（実施例１）である。
【図５】送信側ファクシミリ装置と受信側ファクシミリ装置のシーケンス（実施例２）である。
【図６】送信側ファクシミリ装置のフローチャート（実施例２）である。
【図７】受信側ファクシミリ装置のフローチャート（実施例２）である。
【符号の説明】
【００８９】
１００  ファクシミリ装置
１０１  通信部
１０２  画像読取部
１０３  記録部
１０４  表示部
１０５  操作部
１０６  ROM
１０７  RAM
１０８  記憶部
１１０  制御部
１２０  ネットワーク
【図１】
2008154092.tif 000003
【図２】
2008154092.tif 000004
【図３】
2008154092.tif 000005
【図４】
2008154092.tif 000006
【図５】
2008154092.tif 000007
【図６】
2008154092.tif 000008
【図７】
2008154092.tif 000009